(57)【特許請求の範囲】
【請求項１】
貫通孔が形成されているテープと、当該テープ上に、前記貫通孔の縁を覆う状態に射出成形された合成樹脂製の雌型スナップ部材とを備え、前記雌型スナップ部材は、中央に雄型スナップ止め具に対する嵌合孔を有し、当該嵌合孔の表面側の開口端に、前記嵌合孔の中心側へ張り出した薄肉の弾性係合片を有し、当該弾性係合片に、前記嵌合孔と連通した放射状をなす複数のスリットを有し、前記嵌合孔の外周には、表面側と裏面側の夫々に、同一円周上で適当間隔おきに配置された複数の金型孔を有するテープ状の雌スナップ止め具において、表面側の金型孔を各スリットの延長線上の位置に、各スリットと連通した状態に形成したことを特徴とするテープ状の雌型スナップ止め具。
【請求項２】
表面側の金型孔が円形状に形成され、裏面側の金型孔が円周方向に長い長孔状に形成されている請求項１に記載のテープ状の雌型スナップ止め具。
【請求項３】
表面側の金型孔と裏面側の金型孔とが夫々円形状に形成されている請求項１に記載のテープ状の雌型スナップ止め具。
【発明の詳細な説明】
【０００１】
【発明の属する技術分野】
本発明は、貫通孔が形成されているテープと、当該テープ上に、前記貫通孔の縁を覆う状態に射出成形された合成樹脂製の雌型スナップ部材とを備え、前記雌型スナップ部材は、中央に雄型スナップ止め具に対する嵌合孔を有し、当該嵌合孔の表面側の開口端に、前記嵌合孔の中心側へ張り出した薄肉の弾性係合片を有し、当該弾性係合片に、前記嵌合孔と連通した放射状をなす複数のスリットを有し、前記嵌合孔の外周には、表面側と裏面側の夫々に、同一円周上で適当間隔おきに配置された複数の金型孔を有するテープ状の雌スナップ止め具に関する。
【０００２】
【従来の技術】
図７、図８は、従来のテープ状の雌スナップ止め具Ａを示す。この雌スナップ止め具Ａは、テープ状の雄スナップ止め具Ｂと組み合わせて使用されるもので、貫通孔が形成されているテープ１と、当該テープ１上に、前記貫通孔の縁２を覆う状態に射出成形された合成樹脂製の雌型スナップ部材３とを備えている。前記雌型スナップ部材３は、中央に雄型スナップ止め具Ｂに対する嵌合孔４を有し、当該嵌合孔４の表面側の開口端に、前記嵌合孔４の中心側へ張り出した薄肉の弾性係合片５を有し、当該弾性係合片５に、前記嵌合孔４と連通した放射状をなす複数（図示の例では６個）のスリット６を有し、前記嵌合孔４の外周には、表面側と裏面側の夫々に、同一円周上で適当間隔おきに配置された複数（図示の例では６個）の長孔状の金型孔７，８を有している。
【０００３】
これらの金型孔７，８は、雌型スナップ部材３を射出成形する際、テープ１の貫通孔付近を雌型スナップ部材３の肉厚内の所定位置に保持するために形成されたものである。即ち、射出成形用の第１金型と第２金型の成形室内に、相対向する複数の突子を設けておき、第１金型と第２金型とでテープ１を挟持した際に、テープ２の貫通孔付近が上下の突子間に挟まれて一定位置に保持され、成形室内に注入される溶融樹脂の圧力により、テープ２の貫通孔付近が押し動かされて、樹脂部分から露出しないようにしたものである。
【０００４】
上述した構造を有するテープ状の雌型スナップ止め具Ａにおいては、雌型スナップ部材３の中央に形成した嵌合孔４の表面側の開口端に、嵌合孔４の中心側へ張り出し、且つ、放射状のスリット６で複数に区画された薄肉の弾性係合片５が形成されているので、薄肉の弾性係合片５が嵌合用孔４の軸芯方向（嵌合用孔４の深さ方向）へ容易に弾性変形し、雌型スナップ止め具との嵌合が容易であり、安定したスナップ作用が得られる利点がある。
【０００５】
即ち、放射状のスリットで複数に区画された薄肉の弾性係合片５を持たない旧来の雌型スナップ止め具では、嵌合用孔４にバネの作用が殆ど無いため、雄型スナップ止め具との嵌合がきつくなり過ぎたり、緩くなり過ぎたりして、安定したスナップ作用を発揮させることが非常に困難であるが、上記の構造を有するテープ状の雌型スナップ止め具Ａでは、雄型スナップ止め具Ｂを嵌合させる際、雄型スナップ止め具Ｂの嵌合突起９が薄肉の弾性係合片５を嵌合用孔４の深さ方向に押し曲げるように弾性変形させつつ嵌合用孔４に嵌り込み、嵌合突起９の大径頭部が弾性係合片５を通過することにより、弾性係合片５が大径頭部のアンダーカット部９ａと機械的に係合することになり、安定したスナップ作用が得られるのである。
【０００６】
また、テープ状の雌型スナップ止め具Ａや雄型スナップ止め具Ｂは、テープの部分を衣服に縫い付けて使用されるものであるから、樹脂部分が薄肉である程、接触したときの違和感がなく、好ましいものである。この点、上記の構造を有するテープ状の雌型スナップ止め具Ａでは、薄肉の弾性係合片５が嵌合孔４の表面側の開口端に設けられているため、これと係合する雄型スナップ止め具Ｂの嵌合突起９の長さが短くて済み、雄型スナップ止め具Ｂの薄肉化（嵌合突起の短小化）が可能であり、これも、大きな利点の一つである。
【０００７】
しかし、従来のテープ状の雌型スナップ止め具Ａでは、相対向して設けられる表面側の金型孔７と裏面側の金型孔８とが同一形状であり、しかも、図７、図８に示すように、金型孔７，８が放射状をなすスリット６とスリット６の間に配置されているため、スリット６と金型孔７との間に連続した広い樹脂部分がなくて、強度の確保が困難であり、変形や欠けが生じやすいという問題点があった。
【０００８】
また、スリット６と金型孔７との間に狭い樹脂部分が存在する複雑な形状であるが故に、雌型スナップ部材３の射出成形にあたって、溶融樹脂の注入圧力を高く設定することが必要とされた。そして、高い注入圧力により溶融樹脂の一部がテープを織編する繊維の隙間に侵入して、金型の成形室外に漏れ出し、これが硬化して、いわゆる「バリ」が発生し、不良品となることがあった。
【０００９】
【発明が解決しようとする課題】
本発明は、テープ状の雌型スナップ止め具における上記の従来欠点を解消したものであり、その目的とするところは、強度の確保が容易で、変形や欠けの発生を防止できると共に、溶融樹脂の注入圧力を低くして、「バリ」の発生を防止できるようにすることにある。
【００１０】
【課題を解決するための手段】
上記の課題を解決するために、本発明が講じた技術的手段は、次のとおりである。即ち、本発明は、貫通孔が形成されているテープと、当該テープ上に、前記貫通孔の縁を覆う状態に射出成形された合成樹脂製の雌型スナップ部材とを備え、前記雌型スナップ部材は、中央に雄型スナップ止め具に対する嵌合孔を有し、当該嵌合孔の表面側の開口端に、前記嵌合孔の中心側へ張り出した薄肉の弾性係合片を有し、当該弾性係合片に、前記嵌合孔と連通した放射状をなす複数のスリットを有し、前記嵌合孔の外周には、表面側と裏面側の夫々に、同一円周上で適当間隔おきに配置された複数の金型孔を有するテープ状の雌スナップ止め具において、表面側の金型孔を各スリットの延長線上の位置に、各スリットと連通した状態に形成したことを特徴としている。
【００１１】
上記の構成によれば、表面側の金型孔を各スリットの延長線上の位置に、各スリットと連通した状態に形成したので、スリットと金型孔の間に狭い樹脂部分が存在しないシンプルな平面形状となり、強度の確保が容易で、変形や欠けの発生防止に有効であり、しかも、スリットと金型孔の間に狭い樹脂部分が存在しないため、雌型スナップ部材の射出成形時に高い注入圧力が要求されず、注入圧力を高くすることに起因する「バリ」の発生を防止できる。
【００１２】
【発明の実施の形態】
図１〜図６は、本発明に係るテープ状の雌スナップ止め具Ａの一例を示す。この雌スナップ止め具Ａは、雄スナップ止め具Ｂと組み合わせて使用されるもので、貫通孔が形成されている長尺の布製のテープ１と、当該テープ１上に、前記貫通孔の縁２を覆う状態に射出成形された合成樹脂製の雌型スナップ部材３とを備えており、テープ１の位置において任意の長さに切断し、テープ１を衣服に縫い付けて使用するように構成されている。
【００１３】
前記雌型スナップ部材３は、中央に雄型スナップ止め具Ｂに対する嵌合孔４を有し、当該嵌合孔４の表面側の開口端に、前記嵌合孔４の中心側へ張り出した薄肉の弾性係合片５を有し、当該弾性係合片５に、前記嵌合孔４と連通した放射状をなす複数（図示の例では６個）のスリット６を有し、前記嵌合孔４の外周には、表面側（テープ１の表面に位置する側）と裏面側（テープ１の裏面に位置する側）の夫々に、同一円周上で適当間隔おきに配置された複数（図示の例では６個）の金型孔７，８を有している。これらの金型孔７，８は、雌型スナップ部材３を射出成形する際、テープ１の貫通孔付近を雌型スナップ部材３の肉厚内の所定位置に保持するために形成されたものであり、表面側の金型孔７と裏面側の金型孔８とは、テープ１の貫通孔付近を挟んで相対向している。
【００１４】
前記弾性係合片５は、嵌合孔４の中心側へ張り出した薄肉の断面形状であることと、放射状のスリット６によって複数に区画されていることとによって、嵌合用孔４の軸芯方向（嵌合用孔４の深さ方向）へ容易に弾性変形し、安定したスナップ作用が得られるようになっている。即ち、雄型スナップ止め具Ｂを嵌合させる際、雄型スナップ止め具Ｂの嵌合突起９が弾性係合片５を嵌合用孔４の深さ方向に押し曲げるように弾性変形させつつ嵌合用孔４に嵌り込み、嵌合突起９の大径頭部が弾性係合片５を通過することにより、弾性係合片５が大径頭部のアンダーカット部９ａと機械的に係合することになり、安定したスナップ作用が得られるのである。尚、前記雌型スナップ部材３の表面は、その略前面が嵌合用孔４側ほど低くなるように傾斜しており、雄型スナップ止め具Ｂとの嵌合時に、嵌合突起９を嵌合用孔４側へと案内する機能を有している。
【００１５】
この実施の形態では、上記の構造を有するテープ状の雌スナップ止め具Ａにおいて、表面側に形成される前記金型孔７を各スリット６の延長線上の位置に、各スリット６と連通した状態に形成したことを特徴としている。換言すれば、従来のテープ状の雌スナップ止め具Ａでは、図７で示した通り、金型孔８と同一形状の金型孔７が放射状をなすスリット６とスリット６の間に配置されていたのに対し、この実施の形態では、金型孔７の位置を、スリット６の延長線上まで円周方向にずらせて、スリット６と連通した状態に形成することにより、従来品において存在していた金型孔７とスリット６との間の狭い樹脂部分を無くしたものである。
【００１６】
尚、表面側の金型孔７と裏面側の金型孔８とを同一形状（例えば、円周方向に長い長孔状）に形成してもよいが、この実施の形態では、表面側の金型孔７を円形状に形成することによって、金型孔７と金型孔７との間に広い樹脂部分を確保し、この樹脂部分にマークの刻印を施せるように工夫している。また、裏面側の金型孔８は、円周方向に長い長孔状（幅方向の寸法は金型孔７の直径と合致している。）に形成されているが、表面側の金型孔７と同じ大きさの円形状に形成してもよい。
【００１７】
上記の構成によれば、表面側の金型孔７を各スリット６の延長線上の位置に、各スリット６と連通した状態に形成したので、スリット６と金型孔７の間に狭い樹脂部分が存在しないシンプルな平面形状となり、強度の確保が容易で、欠けの発生防止に有効であり、しかも、スリット６と金型孔７の間に狭い樹脂部分が存在しないため、雌型スナップ部材３の射出成形時に高い注入圧力が要求されず、注入圧力を高くすることに起因する「バリ」の発生を防止できる。
【００１８】
殊に、図示の例では、表面側の金型孔７を円形状に形成したので、金型孔７と金型孔７との間に広い樹脂部分を確保し、この樹脂部分にマークの刻印を施せる利点がある。
【００１９】
【発明の効果】
本発明は、上述した構成よりなり、強度の確保が容易で、変形や欠けの発生を防止できると共に、溶融樹脂の注入圧力を低くして、「バリ」の発生を防止できる等の効果がある。
【図面の簡単な説明】
【図１】テープ状の雌型スナップ止め具と、テープ状の雄型スナップ止め具の斜視図である。
【図２】テープ状の雌型スナップ止め具の平面図である。
【図３】テープ状の雌型スナップ止め具の拡大平面図である。
【図４】図３のＡ−Ａ断面図である。
【図５】図３のＢ−Ｂ断面図である。
【図６】テープ状の雌型スナップ止め具とテープ状の雄型スナップ止め具とを嵌合した状態における断面図である。
【図７】従来のテープ状の雌型スナップ止め具を示す拡大平面図である。
【図８】図７のＣ−Ｃ断面図である。
【符号の説明】
Ａ…テープ状の雌型スナップ止め具、１…テープ、３…雌型スナップ部材、４…嵌合用孔、５…弾性係合片、６…スリット。
【図１】
0004336036.tif 000002
【図２】
0004336036.tif 000003
【図３】
0004336036.tif 000004
【図４】
0004336036.tif 000005
【図５】
0004336036.tif 000006
【図６】
0004336036.tif 000007
【図７】
0004336036.tif 000008
【図８】
0004336036.tif 000009